(57)【特許請求の範囲】
【請求項１】
波長多重信号及び監視信号が入力され、入力された前記波長多重信号と前記監視信号とを合波する合波部と、
前記合波部からの合波光の出力レベルを測定して出力するとともに、前記合波光を伝送路に出力する出力レベルモニタ部と、
前記出力レベルモニタ部の測定時刻を検出し、検出した出力レベル測定時刻と前記出力レベルを関連付けるタイムスタンプ生成部と、
前記タイムスタンプ生成部の関連付けた前記出力レベル測定時刻及び前記出力レベルの組を含む前記監視信号を生成する監視信号生成部と、
を備える監視信号送信装置、及び、
前記伝送路から前記合波光が入力され、当該合波光の入力レベルを測定する入力レベルモニタ部と、
前記合波光に含まれる前記監視信号を受信する監視信号終端部と、
前記入力レベルモニタ部の前記入力レベルの測定時刻を検出し、検出した入力レベル測定時刻と前記入力レベルを関連付けて記憶し、前記監視信号終端部の受信した前記監視信号に含まれる前記出力レベル測定時刻及び前記出力レベルを抽出し、同時刻における前記入力レベルと前記出力レベルとの差を算出するスパンロス計算部と、
を備える監視信号受信装置、
を有し、
前記出力レベルモニタ部は、一定周期で前記出力レベルを測定し、
前記入力レベルモニタ部は、前記一定周期で前記入力レベルを測定し、
前記出力レベルモニタ部及び前記入力レベルモニタ部の測定開始タイミングが同時刻であるスパンロスモニタシステム。
【請求項２】
前記監視信号受信装置は、
スパンロスの上限しきい値又は下限しきい値を保持し、前記スパンロス計算部の算出する前記差が前記上限しきい値又は前記下限しきい値のいずれかを超過した場合はアラーム信号を出力するスパンロス変動検出部をさらに備えることを特徴とする請求項１に記載のスパンロスモニタシステム。
【請求項３】
監視信号送信装置及び監視信号受信装置が伝送路で接続されたスパンロスモニタシステムに備わる前記監視信号送信装置であって、
前記監視信号送信装置は、
波長多重信号及び監視信号が入力され、入力された前記波長多重信号と前記監視信号とを合波する合波部と、
前記合波部からの合波光の出力レベルを測定して出力するとともに、前記合波光を前記伝送路に出力する出力レベルモニタ部と、
前記出力レベルモニタ部の測定時刻を検出し、検出した出力レベル測定時刻と前記出力レベルを関連付けるタイムスタンプ生成部と、
前記タイムスタンプ生成部の関連付けた前記出力レベル測定時刻及び前記出力レベルの組を含む前記監視信号を生成する監視信号生成部と、
を備え、
前記監視信号受信装置は、
前記伝送路から前記合波光が入力され、当該合波光の入力レベルを測定する入力レベルモニタ部と、
前記合波光に含まれる前記監視信号を受信する監視信号終端部と、
前記入力レベルモニタ部の前記入力レベルの測定時刻を検出し、検出した入力レベル測定時刻と前記入力レベルを関連付けて記憶し、前記監視信号終端部の受信した前記監視信号に含まれる前記出力レベル測定時刻及び前記出力レベルを抽出し、同時刻における前記入力レベルと前記出力レベルとの差を算出するスパンロス計算部と、
を備え、
前記出力レベルモニタ部は、一定周期で前記出力レベルを測定し、
前記入力レベルモニタ部は、前記一定周期で前記入力レベルを測定し、
前記出力レベルモニタ部及び前記入力レベルモニタ部の測定開始タイミングが同時刻である監視信号送信装置。
【請求項４】
監視信号送信装置及び監視信号受信装置が伝送路で接続されたスパンロスモニタシステムに備わる前記監視信号受信装置であって、
前記監視信号送信装置は、
波長多重信号及び監視信号が入力され、入力された前記波長多重信号と前記監視信号とを合波する合波部と、
前記合波部からの合波光の出力レベルを測定して出力するとともに、前記合波光を前記伝送路に出力する出力レベルモニタ部と、
前記出力レベルモニタ部の測定時刻を検出し、検出した出力レベル測定時刻と前記出力レベルを関連付けるタイムスタンプ生成部と、
前記タイムスタンプ生成部の関連付けた前記出力レベル測定時刻及び前記出力レベルの組を含む前記監視信号を生成する監視信号生成部と、
を備え、
前記監視信号受信装置は、
前記合波光が前記伝送路から入力され、当該合波光の入力レベルを測定する入力レベルモニタ部と、
前記合波光に含まれる前記監視信号を受信する監視信号終端部と、
前記入力レベルモニタ部の前記入力レベルの測定時刻を検出し、検出した入力レベル測定時刻と前記入力レベルを関連付けて記憶し、前記監視信号終端部の受信した前記監視信号に含まれる前記出力レベル測定時刻及び前記出力レベルを抽出し、同時刻における前記入力レベルと前記出力レベルとの差を算出するスパンロス計算部と、
を備え、
前記出力レベルモニタ部は、一定周期で前記出力レベルを測定し、
前記入力レベルモニタ部は、前記一定周期で前記入力レベルを測定し、
前記出力レベルモニタ部及び前記入力レベルモニタ部の測定開始タイミングが同時刻である監視信号受信装置。
【請求項５】
監視信号送信装置において、波長多重信号と監視信号とを合波した合波光の出力レベルを測定し、前記出力レベルの測定時刻である出力レベル測定時刻を検出し、前記合波光を伝送路に出力するとともに、
監視信号受信装置において、前記伝送路から入力された前記合波光の入力レベルを測定し、前記入力レベルの測定時刻である入力レベル測定時刻を検出するモニタ手順と、
監視信号送信装置において、前記出力レベル測定時刻及び前記出力レベルの組を含む監視信号を生成し、当該監視信号と波長多重信号とを合波して合波光を生成するとともに、
監視信号受信装置において、前記モニタ手順で前記伝送路に出力した前記合波光の前記監視信号に含まれる前記出力レベル測定時刻及び前記出力レベルを抽出し、同時刻における前記入力レベルと前記出力レベルとの差を算出する監視信号生成及びスパンロス計算手順と、
を有し、
前記モニタ手順において、前記出力レベル及び前記入力レベルの測定が一定周期であり、前記出力レベル及び前記入力レベルの測定開始タイミングが同時刻である、
スパンロスモニタ方法。
【請求項６】
監視信号送信装置及び監視信号受信装置が伝送路で接続されたスパンロスモニタシステムに備わる前記監視信号送信装置の監視信号送信方法であって、
波長多重信号と監視信号とを合波した合波光の出力レベルを測定して出力するとともに、前記合波光を伝送路に出力する出力レベルモニタ手順と、
前記出力レベルの測定時刻である出力レベル測定時刻を検出し、前記出力レベル測定時刻と前記出力レベルを関連付けるタイムスタンプ生成手順と、
前記タイムスタンプ生成手順で関連付けた前記出力レベル測定時刻及び前記出力レベルの組を含む監視信号を生成する監視信号生成手順と、
波長多重信号と前記監視信号生成手順で生成した監視信号を合波した合波光を生成する合波手順と、
を有し、
前記監視信号受信装置は、前記伝送路から前記合波光が入力され、当該合波光の入力レベルを測定し、前記入力レベルの測定時刻ある入力レベル測定時刻を検出し、前記入力レベル測定時刻と前記入力レベルを関連付けて記憶し、当該合波光の前記監視信号に含まれる前記出力レベル測定時刻及び前記出力レベルを抽出し、同時刻における前記入力レベルと前記出力レベルとの差を算出し、
前記出力レベルモニタ手順において、前記出力レベル及び前記入力レベルの測定が一定周期であり、前記出力レベル及び前記入力レベルの測定開始タイミングが同時刻である、
監視信号送信方法。
【請求項７】
監視信号送信装置及び監視信号受信装置が伝送路で接続されたスパンロスモニタシステムに備わる前記監視信号送信装置の監視信号送信プログラムであって、
出力レベルモニタ部が、波長多重信号と監視信号とを合波した合波光の出力レベルを測定して出力するとともに、前記合波光を前記伝送路に出力する出力レベルモニタ手順と、
タイムスタンプ生成部が、前記出力レベルの測定時刻である出力レベル測定時刻を検出し、前記出力レベル測定時刻と前記出力レベルを関連付けるタイムスタンプ生成手順と、
監視信号生成部が、前記タイムスタンプ生成手順で関連付けた前記出力レベル測定時刻及び前記出力レベルの組を含む監視信号を生成する監視信号生成手順と、
合波部が、波長多重信号と前記監視信号生成手順で生成した監視信号を合波した合波光を生成する合波手順と、
をコンピュータに実行させるための監視信号送信プログラムであって、
前記監視信号受信装置は、前記伝送路から前記合波光が入力され、当該合波光の入力レベルを測定し、前記入力レベルの測定時刻である入力レベル測定時刻を検出し、前記入力レベル測定時刻と前記入力レベルを関連付けて記憶し、当該合波光の前記監視信号に含まれる前記出力レベル測定時刻及び前記出力レベルを抽出し、同時刻における前記入力レベルと前記出力レベルとの差を算出し、
前記出力レベルモニタ手順において、前記出力レベル及び前記入力レベルの測定が一定周期であり、前記出力レベル及び前記入力レベルの測定開始タイミングが同時刻である、
監視信号送信プログラム。
【請求項８】
監視信号送信装置及び監視信号受信装置が伝送路で接続されたスパンロスモニタシステムに備わる前記監視信号受信装置の監視信号受信方法であって、
波長多重信号と監視信号との合波光が前記伝送路から入力され、当該合波光の入力レベルを測定するとともに、前記入力レベルの測定時刻である入力レベル測定時刻を検出する入力レベルモニタ手順と、
前記合波光に含まれる前記監視信号を受信する監視信号終端手順と、
前記入力レベル測定時刻と前記入力レベルを関連付けて記憶し、前記監視信号に含まれる出力レベル測定時刻及び出力レベルの組を抽出し、同時刻における前記入力レベルと前記出力レベルとの差を算出するスパンロス計算手順と、
を有し、
前記監視信号送信装置は、前記波長多重信号と前記監視信号とを合波した合波光の出力レベルを測定し、前記出力レベルの測定時刻である出力レベル測定時刻を検出し、前記出力レベル測定時刻及び前記出力レベルの組を含む監視信号を前記伝送路に出力し、
前記入力レベルモニタ手順において、前記出力レベル及び前記入力レベルの測定が一定周期であり、前記出力レベル及び前記入力レベルの測定開始タイミングが同時刻である、
監視信号受信方法。
【請求項９】
監視信号送信装置及び監視信号受信装置が伝送路で接続されたスパンロスモニタシステムに備わる前記監視信号受信装置の監視信号受信プログラムであって、
入力レベルモニタ部が、波長多重信号と監視信号との合波光が前記伝送路から入力され、当該合波光の入力レベルを測定するとともに、前記入力レベルの測定時刻である入力レベル測定時刻を検出する入力レベルモニタ手順と、
監視信号終端部が、前記合波光に含まれる前記監視信号を受信する監視信号終端手順と、
スパンロス計算部が、前記入力レベル測定時刻と前記入力レベルを関連付けて記憶し、前記監視信号に含まれる出力レベル測定時刻及び出力レベルの組を抽出し、同時刻における前記入力レベルと前記出力レベルとの差を算出するスパンロス計算手順と、
をコンピュータに実行させるための監視信号受信プログラムであって、
前記監視信号送信装置は、前記波長多重信号と前記監視信号とを合波した合波光の出力レベルを測定し、前記出力レベルの測定時刻である出力レベル測定時刻を検出し、前記出力レベル測定時刻及び前記出力レベルの組を含む監視信号を前記伝送路に出力し、
前記入力レベルモニタ手順において、前記出力レベル及び前記入力レベルの測定が一定周期であり、前記出力レベル及び前記入力レベルの測定開始タイミングが同時刻である、
監視信号受信プログラム。
【発明の詳細な説明】
【技術分野】
【０００１】
本発明は、ＷＤＭ（Ｗａｖｅｌｅｎｇｔｈ  Ｄｉｖｉｓｉｏｎ  Ｍｕｌｔｉｐｌｅｘ）伝送装置において、伝送路のスパンロスをモニタするシステムである。
【背景技術】
【０００２】
ＷＤＭシステムでは、初期の建設時や運用後の伝送路切り替え時などに、受信光増幅器の入力レベルを動作レンジ内に調整する必要があることや、主信号に影響を与える伝送路起因のレベル変動を検出する必要性があることなどから、該当伝送路のスパンロス測定、監視が重要となっている。
【０００３】
入出力レベルはある程度の幅で常時変動しているため、上流局側の装置と下流局側の装置の双方の保守者が同じタイミングでレベルを測定、比較しないと正しいスパンロスが計測できない。このため、一般的にスパンロスを測定するためには、上流局と下流局の双方に保守者が入り、それぞれ上流局側の装置の出力レベルと下流局側の装置の入力レベルを、測定器または装置に実装されているレベルモニタ機能でそれぞれ確認し、手動で比較するといった手順をとる。また、運用中に伝送路のレベル変動により主信号に影響が発生した場合、それを確認するために上流局と下流局の装置において、それぞれレベルモニタ値を読み出し、手動で比較することで変動を確認している。
【０００４】
一方で、ＷＤＭシステムの受信側において、光増幅器の出力レベルを制御する発明が提案されている（例えば、特許文献１参照。）。特許文献１のＷＤＭシステムは、送信側の光伝送装置と、受信側の光伝送装置と、を備え、以下のように動作する。送信側の光伝送装置は、ＯＣＳ（Ｏｐｔｉｃａｌ  Ｓｕｐｅｒｖｉｓｏｒｙ  Ｃｈａｎｎｅｌ）光を用いて信号光の波長数情報を受信側の光伝送装置に送信する。受信側の光伝送装置は、受信したＯＣＳ光を用いて伝送路の異常やＷＤＭ光に多重された波長数の増減を検出し、検出結果に応じて受信時の光信号の減衰量を調整する。
【先行技術文献】
【特許文献】
【０００５】
【特許文献１】特開２００７−１０４１０３号公報
【発明の概要】
【発明が解決しようとする課題】
【０００６】
上述のとおり、スパンロスの確認は上流局と下流局の比較を手動で行なうために、人的な手間が多く簡素化が望まれており、かつ、正確にモニタすることが課題となっている。
【０００７】
特許文献１のＷＤＭシステムは、光信号のレベルを測定するタイミングについては考慮されておらず、同時刻における上流局と下流局の光信号のレベルを測定するための構成も開示されていない。このため、特許文献１のＷＤＭシステムは、同時刻における上流局と下流局の光信号のレベルを測定できないため、スパンロスを正確に測定することはできない。
【０００８】
そこで、本発明は、人的な手間が少なくかつ正確にスパンロスを計測可能にすることを目的とする。
【課題を解決するための手段】
【０００９】
本願発明のスパンロスモニタシステムは、波長多重信号及び監視信号が入力され、入力された前記波長多重信号と前記監視信号とを合波する合波部と、前記合波部からの合波光の出力レベルを測定して出力するとともに、前記合波光を伝送路に出力する出力レベルモニタ部と、前記出力レベルモニタ部の測定時刻を検出し、検出した出力レベル測定時刻と前記出力レベルを関連付けるタイムスタンプ生成部と、前記タイムスタンプ生成部の関連付けた前記出力レベル測定時刻及び前記出力レベルの組を含む前記監視信号を生成する監視信号生成部と、を備える監視信号送信装置、及び、前記伝送路から前記合波光が入力され、当該合波光の入力レベルを測定する入力レベルモニタ部と、前記合波光に含まれる前記監視信号を受信する監視信号終端部と、前記入力レベルモニタ部の前記入力レベルの測定時刻を検出し、検出した入力レベル測定時刻と前記入力レベルを関連付けて記憶し、前記監視信号終端部の受信した前記監視信号に含まれる前記出力レベル測定時刻及び前記出力レベルを抽出し、同時刻における前記入力レベルと前記出力レベルとの差を算出するスパンロス計算部と、を備える監視信号受信装置、を有し、前記出力レベルモニタ部は、一定周期で前記出力レベルを測定し、前記入力レベルモニタ部は、前記一定周期で前記入力レベルを測定し、前記出力レベルモニタ部及び前記入力レベルモニタ部の測定開始タイミングが同時刻である。
【００１０】
本願発明の監視信号送信装置は、監視信号送信装置及び監視信号受信装置が伝送路で接続されたスパンロスモニタシステムに備わる前記監視信号送信装置であって、前記監視信号送信装置は、波長多重信号及び監視信号が入力され、入力された前記波長多重信号と前記監視信号とを合波する合波部と、前記合波部からの合波光の出力レベルを測定して出力するとともに、前記合波光を前記伝送路に出力する出力レベルモニタ部と、前記出力レベルモニタ部の測定時刻を検出し、検出した出力レベル測定時刻と前記出力レベルを関連付けるタイムスタンプ生成部と、前記タイムスタンプ生成部の関連付けた前記出力レベル測定時刻及び前記出力レベルの組を含む前記監視信号を生成する監視信号生成部と、を備え、前記監視信号受信装置は、前記伝送路から前記合波光が入力され、当該合波光の入力レベルを測定する入力レベルモニタ部と、前記合波光に含まれる前記監視信号を受信する監視信号終端部と、前記入力レベルモニタ部の前記入力レベルの測定時刻を検出し、検出した入力レベル測定時刻と前記入力レベルを関連付けて記憶し、前記監視信号終端部の受信した前記監視信号に含まれる前記出力レベル測定時刻及び前記出力レベルを抽出し、同時刻における前記入力レベルと前記出力レベルとの差を算出するスパンロス計算部と、を備え、前記出力レベルモニタ部は、一定周期で前記出力レベルを測定し、前記入力レベルモニタ部は、前記一定周期で前記入力レベルを測定し、前記出力レベルモニタ部及び前記入力レベルモニタ部の測定開始タイミングが同時刻である。
【００１１】
本願発明の監視信号受信装置は、監視信号送信装置及び監視信号受信装置が伝送路で接続されたスパンロスモニタシステムに備わる前記監視信号受信装置であって、前記監視信号送信装置は、波長多重信号及び監視信号が入力され、入力された前記波長多重信号と前記監視信号とを合波する合波部と、前記合波部からの合波光の出力レベルを測定して出力するとともに、前記合波光を前記伝送路に出力する出力レベルモニタ部と、前記出力レベルモニタ部の測定時刻を検出し、検出した出力レベル測定時刻と前記出力レベルを関連付けるタイムスタンプ生成部と、前記タイムスタンプ生成部の関連付けた前記出力レベル測定時刻及び前記出力レベルの組を含む前記監視信号を生成する監視信号生成部と、を備え、前記監視信号受信装置は、前記合波光が前記伝送路から入力され、当該合波光の入力レベルを測定する入力レベルモニタ部と、前記合波光に含まれる前記監視信号を受信する監視信号終端部と、前記入力レベルモニタ部の前記入力レベルの測定時刻を検出し、検出した入力レベル測定時刻と前記入力レベルを関連付けて記憶し、前記監視信号終端部の受信した前記監視信号に含まれる前記出力レベル測定時刻及び前記出力レベルを抽出し、同時刻における前記入力レベルと前記出力レベルとの差を算出するスパンロス計算部と、を備え、前記出力レベルモニタ部は、一定周期で前記出力レベルを測定し、前記入力レベルモニタ部は、前記一定周期で前記入力レベルを測定し、前記出力レベルモニタ部及び前記入力レベルモニタ部の測定開始タイミングが同時刻である。
【００１２】
本願発明のスパンロスモニタ方法は、監視信号送信装置において、波長多重信号と監視信号とを合波した合波光の出力レベルを測定し、前記出力レベルの測定時刻である出力レベル測定時刻を検出し、前記合波光を伝送路に出力するとともに、監視信号受信装置において、前記伝送路から入力された前記合波光の入力レベルを測定し、前記入力レベルの測定時刻である入力レベル測定時刻を検出するモニタ手順と、監視信号送信装置において、前記出力レベル測定時刻及び前記出力レベルの組を含む監視信号を生成し、当該監視信号と波長多重信号とを合波して合波光を生成するとともに、監視信号受信装置において、前記モニタ手順で前記伝送路に出力した前記合波光の前記監視信号に含まれる前記出力レベル測定時刻及び前記出力レベルを抽出し、同時刻における前記入力レベルと前記出力レベルとの差を算出する監視信号生成及びスパンロス計算手順と、を有し、前記モニタ手順において、前記出力レベル及び前記入力レベルの測定が一定周期であり、前記出力レベル及び前記入力レベルの測定開始タイミングが同時刻である。
【００１３】
本願発明の監視信号送信方法は、監視信号送信装置及び監視信号受信装置が伝送路で接続されたスパンロスモニタシステムに備わる前記監視信号送信装置の監視信号送信方法であって、波長多重信号と監視信号とを合波した合波光の出力レベルを測定して出力するとともに、前記合波光を伝送路に出力する出力レベルモニタ手順と、前記出力レベルの測定時刻である出力レベル測定時刻を検出し、前記出力レベル測定時刻と前記出力レベルを関連付けるタイムスタンプ生成手順と、前記タイムスタンプ生成手順で関連付けた前記出力レベル測定時刻及び前記出力レベルの組を含む監視信号を生成する監視信号生成手順と、波長多重信号と前記監視信号生成手順で生成した監視信号を合波した合波光を生成する合波手順と、を有し、前記監視信号受信装置は、前記伝送路から前記合波光が入力され、当該合波光の入力レベルを測定し、前記入力レベルの測定時刻ある入力レベル測定時刻を検出し、前記入力レベル測定時刻と前記入力レベルを関連付けて記憶し、当該合波光の前記監視信号に含まれる前記出力レベル測定時刻及び前記出力レベルを抽出し、同時刻における前記入力レベルと前記出力レベルとの差を算出し、前記出力レベルモニタ手順において、前記出力レベル及び前記入力レベルの測定が一定周期であり、前記出力レベル及び前記入力レベルの測定開始タイミングが同時刻である。
【００１４】
本願発明の監視信号送信プログラムは、監視信号送信装置及び監視信号受信装置が伝送路で接続されたスパンロスモニタシステムに備わる前記監視信号送信装置の監視信号送信プログラムであって、出力レベルモニタ部が、波長多重信号と監視信号とを合波した合波光の出力レベルを測定して出力するとともに、前記合波光を前記伝送路に出力する出力レベルモニタ手順と、タイムスタンプ生成部が、前記出力レベルの測定時刻である出力レベル測定時刻を検出し、前記出力レベル測定時刻と前記出力レベルを関連付けるタイムスタンプ生成手順と、監視信号生成部が、前記タイムスタンプ生成手順で関連付けた前記出力レベル測定時刻及び前記出力レベルの組を含む監視信号を生成する監視信号生成手順と、合波部が、波長多重信号と前記監視信号生成手順で生成した監視信号を合波した合波光を生成する合波手順と、をコンピュータに実行させるための監視信号送信プログラムであって、前記監視信号受信装置は、前記伝送路から前記合波光が入力され、当該合波光の入力レベルを測定し、前記入力レベルの測定時刻である入力レベル測定時刻を検出し、前記入力レベル測定時刻と前記入力レベルを関連付けて記憶し、当該合波光の前記監視信号に含まれる前記出力レベル測定時刻及び前記出力レベルを抽出し、同時刻における前記入力レベルと前記出力レベルとの差を算出し、前記出力レベルモニタ手順において、前記出力レベル及び前記入力レベルの測定が一定周期であり、前記出力レベル及び前記入力レベルの測定開始タイミングが同時刻である。
【００１５】
本願発明の監視信号受信方法は、監視信号送信装置及び監視信号受信装置が伝送路で接続されたスパンロスモニタシステムに備わる前記監視信号受信装置の監視信号受信方法であって、波長多重信号と監視信号との合波光が前記伝送路から入力され、当該合波光の入力レベルを測定するとともに、前記入力レベルの測定時刻である入力レベル測定時刻を検出する入力レベルモニタ手順と、前記合波光に含まれる前記監視信号を受信する監視信号終端手順と、前記入力レベル測定時刻と前記入力レベルを関連付けて記憶し、前記監視信号に含まれる出力レベル測定時刻及び出力レベルの組を抽出し、同時刻における前記入力レベルと前記出力レベルとの差を算出するスパンロス計算手順と、を有し、前記監視信号送信装置は、前記波長多重信号と前記監視信号とを合波した合波光の出力レベルを測定し、前記出力レベルの測定時刻である出力レベル測定時刻を検出し、前記出力レベル測定時刻及び前記出力レベルの組を含む監視信号を前記伝送路に出力し、前記入力レベルモニタ手順において、前記出力レベル及び前記入力レベルの測定が一定周期であり、前記出力レベル及び前記入力レベルの測定開始タイミングが同時刻である。
【００１６】
本願発明の監視信号受信プログラムは、監視信号送信装置及び監視信号受信装置が伝送路で接続されたスパンロスモニタシステムに備わる前記監視信号受信装置の監視信号受信プログラムであって、入力レベルモニタ部が、波長多重信号と監視信号との合波光が前記伝送路から入力され、当該合波光の入力レベルを測定するとともに、前記入力レベルの測定時刻である入力レベル測定時刻を検出する入力レベルモニタ手順と、監視信号終端部が、前記合波光に含まれる前記監視信号を受信する監視信号終端手順と、スパンロス計算部が、前記入力レベル測定時刻と前記入力レベルを関連付けて記憶し、前記監視信号に含まれる出力レベル測定時刻及び出力レベルの組を抽出し、同時刻における前記入力レベルと前記出力レベルとの差を算出するスパンロス計算手順と、をコンピュータに実行させるための監視信号受信プログラムであって、前記監視信号送信装置は、前記波長多重信号と前記監視信号とを合波した合波光の出力レベルを測定し、前記出力レベルの測定時刻である出力レベル測定時刻を検出し、前記出力レベル測定時刻及び前記出力レベルの組を含む監視信号を前記伝送路に出力し、前記入力レベルモニタ手順において、前記出力レベル及び前記入力レベルの測定が一定周期であり、前記出力レベル及び前記入力レベルの測定開始タイミングが同時刻である。
【発明の効果】
【００１７】
本発明によれば、人的な手間が少なくかつ正確にスパンロスを計測可能にすることができる。
【図面の簡単な説明】
【００１８】
【図１】実施形態１に係るスパンロスモニタシステムの一例を示す。
【図２】実施形態１に係るスパンロスモニタ方法の一例を示す。
【図３】実施形態１に係る監視信号送信方法の一例を示す。
【図４】実施形態１に係る監視信号受信方法の一例を示す。
【図５】実施形態２に係るスパンロスモニタシステムの構成を示す。
【図６】スパンロスの算出結果の一例を示す。
【図７】実施形態３に係るスパンロスモニタシステムの構成を示す。
【図８】実施形態３に係る監視信号受信方法の一例を示す。
【発明を実施するための形態】
【００１９】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２０】
（実施形態１）
図１に、本実施形態に係るスパンロスモニタシステムの一例を示す。本実施形態に係るスパンロスモニタシステムは、監視信号送信装置１０及び監視信号受信装置２０を備える。監視信号送信装置１０は、出力レベルモニタ部１０−１と、タイムスタンプ生成部１０−２と、監視信号生成部１０−３と、合波部１０−４と、を備える。監視信号受信装置２０は、入力レベルモニタ部２０−１と、監視信号終端部２０−３と、スパンロス計算部２０−２と、を備える。
【００２１】
図２に、本実施形態に係るスパンロスモニタ方法の一例を示す。本実施形態に係るスパンロスモニタ方法は、モニタ手順Ｓ１００と、監視信号生成及びスパンロス計算手順Ｓ２００と、を有する。
【００２２】
図３に、本実施形態に係る監視信号送信方法の一例を示す。本実施形態に係る監視信号送信方法は、出力レベルモニタ手順Ｓ１０１と、タイムスタンプ生成手順Ｓ１０２と、監視信号生成手順Ｓ１０３と、合波手順Ｓ１０４と、を有する。本実施形態に係る監視信号送信プログラムは、出力レベルモニタ手順Ｓ１０１と、タイムスタンプ生成手順Ｓ１０２と、監視信号生成手順Ｓ１０３と、合波手順Ｓ１０４と、をコンピュータに実行させるためのプログラムである。
【００２３】
図４に、本実施形態に係る監視信号受信方法の一例を示す。本実施形態に係る監視信号受信方法は、入力レベルモニタ手順Ｓ２０１と、監視信号終端手順Ｓ２０２と、スパンロス計算手順Ｓ２０３と、を有する。本実施形態に係る監視信号受信プログラムは、入力レベルモニタ手順Ｓ２０１と、監視信号終端手順Ｓ２０２と、スパンロス計算手順Ｓ２０３と、をコンピュータに実行させるためのプログラムである。
【００２４】
図２に示すモニタ手順Ｓ１００では、監視信号送信装置１０において、波長多重信号と監視信号とを合波した合波光の出力レベルを測定し、出力レベルの測定時刻を検出し、合波光を伝送路に出力する。さらに、監視信号受信装置２０において、伝送路５０から入力された合波光の入力レベルを測定し、入力レベルの測定時刻を検出する。具体的には、図３に示す出力レベルモニタ手順Ｓ１０１及び図４に示す入力レベルモニタ手順Ｓ２０１を実行する。
【００２５】
出力レベルモニタ手順Ｓ１０１では、出力レベルモニタ部１０−１が、合波部１０−４からの合波光の出力レベルを測定して出力するとともに、合波光を伝送路５０に出力する。これにより、監視信号送信装置１０は、波長多重信号及び監視信号を、監視信号受信装置２０に送信することができる。
【００２６】
入力レベルモニタ手順Ｓ２０１では、波長多重信号と監視信号との合波光が伝送路５０から入力され、当該合波光の入力レベルを測定するとともに、入力レベルの測定時刻を検出する。例えば、入力レベルモニタ部２０−１が、波長多重信号と監視信号との合波光が伝送路５０から入力され、当該合波光の入力レベルを測定する。そして、スパンロス計算部２０−２が、入力レベルモニタ部２０−１の入力レベルの測定時刻を検出し、当該入力レベル測定時刻と入力レベルを関連付けて記憶する。
【００２７】
ここで、出力レベルモニタ手順Ｓ１０１及び入力レベルモニタ手順Ｓ２０１は同時に行う。例えば、出力レベルモニタ部１０−１及び入力レベルモニタ部２０−１の測定開始タイミングが同時刻である。そして、出力レベルモニタ１０−１は、一定周期で出力レベルを測定し、入力レベルモニタ部２０−１は、一定周期で入力レベルを測定する。これにより、監視信号送信装置１０の送信する信号レベルと監視信号受信装置２０の受信する信号レベルを同時に測定することができる。
【００２８】
また、出力レベルモニタ部１０−１は、予め定められた時刻に出力レベルを測定し、入力レベルモニタ部２０−１は、予め定められた時刻に入力レベルを測定してもよい。これにより、監視信号送信装置１０の送信する信号レベルと監視信号受信装置２０の受信する信号レベルを同時に測定することができる。
【００２９】
図２に示す監視信号生成及びスパンロス計算手順Ｓ２００では、監視信号送信装置１０において、出力レベル測定時刻と出力レベルの組を含む監視信号を生成し、当該監視信号と波長多重信号とを合波して合波光を生成する。さらに、監視信号受信装置２０において、監視信号に含まれる出力レベル測定時刻及び出力レベルを抽出し、同時刻における入力レベルと出力レベルとの差を算出する。具体的には、図３に示すタイムスタンプ生成手順Ｓ１０２、監視信号生成手順Ｓ１０３及び合波手順Ｓ１０４を順に実行するとともに、図４に示す監視信号終端手順Ｓ２０２及びスパンロス計算手順Ｓ２０３を順に実行する。
【００３０】
タイムスタンプ生成手順Ｓ１０２では、タイムスタンプ生成部１０−２が、出力レベルモニタ部１０−１の測定時刻を検出し、当該出力レベル測定時刻と出力レベルを関連付ける。
【００３１】
監視信号生成手順Ｓ１０３では、監視信号生成部１０−３が、タイムスタンプ生成部１０−２の関連付けた出力レベル測定時刻と出力レベルの組を含む監視信号を生成する。
【００３２】
合波手順Ｓ１０４では、合波部１０−４が、波長多重信号及び監視信号が入力され、入力された波長多重信号と監視信号とを合波する。
【００３３】
監視信号終端手順Ｓ２０２では、監視信号終端部２０−３が、合波光に含まれる監視信号を受信する。
スパンロス計算手順Ｓ２０３では、スパンロス計算部２０−２が、監視信号終端部２０−３の受信した監視信号に含まれる出力レベル測定時刻及び出力レベルを抽出する。一方で、スパンロス計算部２０−２が、記憶した入力レベル測定時刻と入力レベルを読み出す。そして、スパンロス計算部２０−２が、同時刻における入力レベルと出力レベルとの差を算出する。
【００３４】
（実施形態２）
図５に、本実施形態に係るスパンロスモニタシステムの構成を示す。本実施形態に係るスパンモニタシステムは、上流局のＷＤＭ装置１と下流局のＷＤＭ装置２は伝送路（スパンＡ）によって接続されている。また、下流局ではＷＤＭ装置２が監視装置３に接続されている。本実施形態では、上流局のＷＤＭ装置１が監視信号送信装置として機能し、下流局のＷＤＭ装置２が監視信号受信装置として機能する。
【００３５】
上流局のＷＤＭ装置１（送信側）は、出力レベルモニタ部１−１、タイムスタンプ生成部１−２、監視信号生成部１−３、合波部１−４、波長多重信号生成部１−５、送信光増幅部１−６から構成される。下流局のＷＤＭ装置２（受信側）は、入力レベルモニタ部２−１、スパンロス計算部２−２、監視信号終端部２−３、分波部２−４、受信光増幅部２−５、波長多重信号終端部２−６から構成される。
【００３６】
上流局のＷＤＭ装置１の接続は次のとおりである。波長多重信号（主信号）を生成する波長多重信号生成部１−５の出力は、送信光増幅部１−６の入力に接続される。送信光増幅部１−６で適切な出力レベルに調整された出力は、合波部１−４の入力に接続される。合波部１−４にて監視信号生成部１−３からの監視信号と、送信光増幅部１―６からの波長多重信号が合波された信号出力は、出力レベルモニタ部１−１の入力に接続される。出力レベルモニタ部１−１の信号出力は伝送路５を介して下流局のＷＤＭ装置２の入力に接続される。出力レベルモニタ部１−１の出力レベルモニタ値出力は、タイムスタンプ生成部１−２の入力に接続される。タイムスタンプ生成部１−２の出力は、監視信号生成部１−３の入力に接続される。
【００３７】
下流局のＷＤＭ装置２の接続は次のとおりである。上流局のＷＤＭ装置１からの信号は伝送路５を介して入力レベルモニタ部２−１に接続される。入力レベルモニタ部２−１の信号出力は分波部２−４の入力に接続される。入力レベルモニタ部２−１の入力レベルモニタ値出力は、スパンロス計算部２−２の入力に接続される。分波部２−４は波長多重信号と監視信号を分離し、波長多重信号出力は受信光増幅部２−５の入力に、監視信号出力は監視信号終端部２−３の入力に接続される。受信光増幅部２−５の出力は波長多重信号終端部２−６の入力に接続される。監視信号終端部２−３の出力はスパンロス計算部２−２の入力に接続される。
【００３８】
（１）上流局（ＷＤＭ装置１）の動作
波長多重信号生成部１−５は、各波長の主信号データを多重化し、波長多重信号として送信光増幅部１−６に出力する。送信光増幅部１−６は、波長多重信号を下流局のＷＤＭ装置２まで伝送可能なように適切なレベルまで出力レベルを増幅する。一方、監視信号生成部１−３は、監視信号を発生させる。監視信号には下流局のＷＤＭ装置２の制御に必要な制御用のパラメータを挿入する。合波部１−４は、波長多重信号（主信号）と制御信号を合波する。出力レベルモニタ部１−１は、波長多重信号（主信号）と監視信号を透過し伝送路へ出力し、かつ、ＷＤＭ装置１の出力レベルのモニタを行なう。
【００３９】
タイムスタンプ生成部１−２は、出力レベルモニタ部１−１でモニタした出力レベル値にモニタした日時情報（タイムスタンプ情報）を付加する（モニタ周期ｔ［ｓｅｃ］）。タイムスタンプ生成部１−２は、モニタ周期のｔ［ｓｅｃ］ごとに、出力レベル値及び日時情報（タイムスタンプ情報）を更新する。監視信号生成部１−３は、タイムスタンプ生成部１−２の出力であるタイムスタンプ付きの出力レベルモニタ値を監視信号に重畳する。これにより、上流局のＷＤＭ装置１は、出力レベル値及び日時情報を、他の制御用のパラメータとともに下流局のＷＤＭ装置２に送信することができる。
【００４０】
（２）下流局（ＷＤＭ装置２）の動作
上流局のＷＤＭ装置１から転送された波長多重信号と監視信号は下流局のＷＤＭ装置２内の入力レベルモニタ部２−１に入力される。入力レベルモニタ部２−１は、波長多重信号（主信号）と監視信号を透過し分波部２−４に出力する。また、入力レベルモニタ部２−１は、ＷＤＭ装置２の入力レベルのモニタを行ない、スパンロス計算部２−２に出力する。分波部２−４は、波長多重信号と監視信号を分離する。受信光増幅部２−５は、分波部２−４から入力された波長多重信号（主信号）を適切なレベルまで増幅し、波長多重信号終端部２−６に出力する。波長多重信号終端部２−６は、波長多重信号を各波長ごとに分離し、波長の主信号データを終端する。
【００４１】
一方、分波部２−４で分離された監視信号は、監視信号終端部２−３に入力される。監視信号終端部２−３は、監視信号に含まれる上流局のタイムスタンプ付きの出力レベルモニタ値と、他制御用のパラメータを分離し、タイムスタンプ付きの出力レベルモニタ値をスパンロス計算部２−２に出力する。
【００４２】
スパンロス計算部２−２は、入力レベルモニタ部２−１でモニタした入力レベル値にモニタした日時情報（タイムスタンプ情報）を付加し（モニタ周期ｔ［ｓｅｃ］）保持する。また、監視信号終端部２−３から入力される上流局のタイムスタンプ付きの出力レベルモニタ値も保持する。スパンロス計算部２−２はタイムスタンプ情報をもとに、これらのモニタ値を図６（ｔ＝６０ｓｅｃの例）のように同一時刻毎に整理し、各時刻のスパンロスを計算し一定時間保持する。上流局のＷＤＭ装置１の出力レベルをα［ｄＢｍ］、下流局のＷＤＭ装置２の入力レベルをβ［ｄＢｍ］とするとスパンロスは（α―β）［ｄＢ］で計算される。
【００４３】
下流局に配置されている監視装置３は、スパンロス計算部２−２に保持されている表１のテーブルを読み出し可能で、保守者は適宜スパンロスを確認することができる。
【００４４】
上流局から下流局に転送される監視信号に上流局の出力レベルモニタ値を重畳することで、下流局にてスパンロスを計算することが可能となり、上流局の出力レベルの確認作業を省略することができる。
【００４５】
また、上流局から転送する出力レベルモニタ値には、その値をモニタした時刻（タイムスタンプ情報）が付加されており、下流局でスパンロスを計算する際に、同一時刻の入出力レベルで比較を行なうことが可能となる。その結果、スパンロスがより正確な値として測定される。
【００４６】
（実施形態３）
図７に、本実施形態に係るスパンロスモニタシステムの構成を示す。本実施形態に係るスパンモニタシステムは、実施形態２に係る下流局のＷＤＭ装置２において、スパンロス計算部２−２と監視装置３の間にスパンロス変動検出部２−７を追加した構成となっている。
【００４７】
本実施形態に係るスパンロスモニタ方法は、図２に示す監視信号生成及びスパンロス計算手順Ｓ２００において、入力レベルと出力レベルとの差が、予め定められた上限しきい値又は下限しきい値のいずれかを超過した場合はアラーム信号を出力する。
【００４８】
図８に、本実施形態に係る監視信号受信方法の一例を示す。本実施形態に係る監視信号受信方法は、スパンロス変動検出手順Ｓ２０４を、スパンロス計算手順Ｓ２０３の後にさらに有する。
【００４９】
図８に示すスパンロス変動検出手順Ｓ２０４では、スパンロス変動検出部２−７が、スパンロス計算部２−２の算出する差が上限しきい値又は下限しきい値のいずれかを超過した場合はアラーム信号を出力する。
【００５０】
例えば、スパンロス変動検出部２−７は、スパンロスの上限しきい値、下限しきい値を保持している。スパンロス変動検出部２−７は、スパンロス計算部２−２から入力されるスパンロス値を常時モニタし、上限しきい値、下限しきい値を超過した場合は、監視装置３にスパンロス異常としてアラームを通知する。仮に上限しきい値を１５ｄＢｍ、下限しきい値を２３ｄＢｍとした場合、図６のケースではスパンロスが２５ｄＢｍと計算された日時「２０１０：１２：０１：１２：０４：００」にアラームが検出される。
【００５１】
このように、本実施形態に係るスパンモニタシステム及び監視信号受信装置としての下流局のＷＤＭ装置２は、スパンロス変動検出部２−７を設けることで、常時スパンロスの異常を監視することが可能となる。
【００５２】
（付記１）
波長多重信号及び監視信号が入力され、入力された前記波長多重信号と前記監視信号とを合波する合波部と、
前記合波部からの合波光の出力レベルを測定して出力するとともに、前記合波光を伝送路に出力する出力レベルモニタ部と、
前記出力レベルモニタ部の測定時刻を検出し、当該出力レベル測定時刻と前記出力レベルを関連付けるタイムスタンプ生成部と、
前記タイムスタンプ生成部の関連付けた前記出力レベル測定時刻と前記出力レベルの組を含む前記監視信号を生成する監視信号生成部と、
を備える監視信号送信装置、及び、
前記伝送路から前記合波光が入力され、当該合波光の入力レベルを測定する入力レベルモニタ部と、
前記合波光に含まれる前記監視信号を受信する監視信号終端部と、
前記入力レベルモニタ部の前記入力レベルの測定時刻を検出し、当該入力レベル測定時刻と前記入力レベルを関連付けて記憶し、前記監視信号終端部の受信した監視信号に含まれる前記出力レベル測定時刻及び前記出力レベルを抽出し、同時刻における前記入力レベルと前記出力レベルとの差を算出するスパンロス計算部と、
備える監視信号受信装置、
を有するスパンロスモニタシステム。
【００５３】
（付記２）
前記監視信号受信装置は、
スパンロスの上限しきい値又は下限しきい値を保持し、前記スパンロス計算部の算出する前記差が前記上限しきい値又は前記下限しきい値のいずれかを超過した場合はアラーム信号を出力するスパンロス変動検出部をさらに備えることを特徴とする付記１に記載のスパンロスモニタシステム。
【００５４】
（付記３）
前記出力レベルモニタ部は、一定周期で前記出力レベルを測定し、
前記入力レベルモニタ部は、前記一定周期で前記入力レベルを測定し、
前記出力レベルモニタ部及び前記入力レベルモニタ部の測定開始タイミングが同時刻である
ことを特徴とする付記１又は２に記載のスパンロスモニタシステム。
【００５５】
（付記４）
前記出力レベルモニタ部は、予め定められた時刻に前記出力レベルを測定し、
前記入力レベルモニタ部は、前記予め定められた時刻に前記入力レベルを測定する
ことを特徴とする付記１又は２に記載のスパンロスモニタシステム。
【００５６】
（付記５）
波長多重信号及び監視信号が入力され、入力された前記波長多重信号と前記監視信号とを合波する合波部と、
前記合波部からの合波光の出力レベルを測定して出力するとともに、前記合波光を伝送路に出力する出力レベルモニタ部と、
前記出力レベルモニタ部の測定時刻を検出し、当該出力レベル測定時刻と前記出力レベルを関連付けるタイムスタンプ生成部と、
前記タイムスタンプ生成部の関連付けた前記出力レベル測定時刻と前記出力レベルの組を含む前記監視信号を生成する監視信号生成部と、
を備える監視信号送信装置。
【００５７】
（付記６）
前記出力レベルモニタ部は、一定周期で前記出力レベルを測定する
ことを特徴とする付記５に記載の監視信号送信装置。
【００５８】
（付記７）
前記出力レベルモニタ部は、予め定められた時刻に前記出力レベルを測定する
ことを特徴とする付記５に記載の監視信号送信装置。
【００５９】
（付記８）
波長多重信号と監視信号との合波光が伝送路から入力され、当該合波光の入力レベルを測定する入力レベルモニタ部と、
前記合波光に含まれる前記監視信号を受信する監視信号終端部と、
前記入力レベルモニタ部の前記入力レベルの測定時刻を検出し、当該入力レベル測定時刻と前記入力レベルを関連付けて記憶し、前記監視信号終端部の受信した監視信号に含まれる前記出力レベル測定時刻及び前記出力レベルを抽出し、同時刻における前記入力レベルと前記出力レベルとの差を算出するスパンロス計算部と、
を備える監視信号受信装置。
【００６０】
（付記９）
スパンロスの上限しきい値又は下限しきい値を保持し、前記スパンロス計算部の算出する前記差が前記上限しきい値又は前記下限しきい値のいずれかを超過した場合はアラーム信号を出力するスパンロス変動検出部をさらに備えることを特徴とする付記８に記載の監視信号受信装置。
【００６１】
（付記１０）
前記入力レベルモニタ部は、一定周期で前記入力レベルを測定する
ことを特徴とする付記８又は９に記載の監視信号受信装置。
【００６２】
（付記１１）
前記入力レベルモニタ部は、予め定められた時刻に前記入力レベルを測定する
ことを特徴とする付記８又は９に記載の監視信号受信装置。
【００６３】
（付記１２）
監視信号送信装置において、波長多重信号と監視信号とを合波した合波光の出力レベルを測定し、前記出力レベルの測定時刻を検出し、前記合波光を伝送路に出力するとともに、
監視信号受信装置において、前記伝送路から入力された合波光の入力レベルを測定し、前記入力レベルの測定時刻を検出するモニタ手順と、
監視信号送信装置において、前記出力レベル測定時刻と前記出力レベルの組を含む監視信号を生成し、当該監視信号と波長多重信号とを合波して合波光を生成するとともに、
監視信号受信装置において、前記モニタ手順で前記伝送路に出力した前記合波光の前記監視信号に含まれる前記出力レベル測定時刻及び前記出力レベルを抽出し、同時刻における前記入力レベルと前記出力レベルとの差を算出する監視信号生成及びスパンロス計算手順と、
を有するスパンロスモニタ方法。
【００６４】
（付記１３）
前記監視信号生成及びスパンロス計算手順において、
前記入力レベルと前記出力レベルとの差が、予め定められた上限しきい値又は下限しきい値のいずれかを超過した場合はアラーム信号を出力することを特徴とする付記１２に記載のスパンロスモニタ方法。
【００６５】
（付記１４）
前記モニタ手順において、一定周期で前記出力レベル及び前記入力レベルを測定することを特徴とする付記１２又は１３に記載のスパンロスモニタ方法。
【００６６】
（付記１５）
前記モニタ手順において、予め定められた時刻に前記出力レベル及び前記入力レベルを測定することを特徴とする付記１２又は１３に記載のスパンロスモニタ方法。
【００６７】
（付記１６）
波長多重信号と監視信号とを合波した合波光の出力レベルを測定して出力するとともに、前記合波光を伝送路に出力する出力レベルモニタ手順と、
前記出力レベルモニタ手順での測定時刻を検出し、当該出力レベル測定時刻と前記出力レベルを関連付けるタイムスタンプ生成手順と、
前記タイムスタンプ生成手順で関連付けた前記出力レベル測定時刻と前記出力レベルの組を含む前記監視信号を生成する監視信号生成手順と、
波長多重信号と前記監視信号生成手順で生成した監視信号を合波した合波光を生成する合波手順と、
を有する監視信号送信方法。
【００６８】
（付記１７）
前記出力レベルモニタ手順において、一定周期で前記出力レベルを測定する
ことを特徴とする付記１６に記載の監視信号送信方法。
【００６９】
（付記１８）
前記出力レベルモニタ手順において、予め定められた時刻に前記出力レベルを測定する
ことを特徴とする付記１６に記載の監視信号送信方法。
【００７０】
（付記１９）
出力レベルモニタ部が、波長多重信号と監視信号とを合波した合波光の出力レベルを測定して出力するとともに、前記合波光を伝送路に出力する出力レベルモニタ手順と、
タイムスタンプ生成部が、前記出力レベルモニタ手順での測定時刻を検出し、当該出力レベル測定時刻と前記出力レベルを関連付けるタイムスタンプ生成手順と、
監視信号生成部が、前記タイムスタンプ生成手順で関連付けた前記出力レベル測定時刻と前記出力レベルの組を含む前記監視信号を生成する監視信号生成手順と、
合波部が、波長多重信号と前記監視信号生成手順で生成した監視信号を合波した合波光を生成する合波手順と、
をコンピュータに実行させるための監視信号送信プログラム。
【００７１】
（付記２０）
前記出力レベルモニタ手順において、前記出力レベルモニタ部が、一定周期で前記出力レベルを測定する
ことを特徴とする付記１９に記載の監視信号送信プログラム。
【００７２】
（付記２１）
前記出力レベルモニタ手順において、前記出力レベルモニタ部が、予め定められた時刻に前記出力レベルを測定する
ことを特徴とする付記１９に記載の監視信号送信プログラム。
【００７３】
（付記２２）
波長多重信号と監視信号との合波光が伝送路から入力され、当該合波光の入力レベルを測定するとともに、前記入力レベルの測定時刻を検出する入力レベルモニタ手順と、
前記合波光に含まれる前記監視信号を受信する監視信号終端手順と、
前記入力レベルモニタ手順における前記入力レベル測定時刻と前記入力レベルを関連付けて記憶し、前記監視信号終端手順で受信した監視信号に含まれる前記出力レベル測定時刻及び前記出力レベルの組を抽出し、同時刻における前記入力レベルと前記出力レベルとの差を算出するスパンロス計算手順と、
を有する監視信号受信方法。
【００７４】
（付記２３）
スパンロスの上限しきい値又は下限しきい値を保持し、前記スパンロス計算部の算出する前記差が前記上限しきい値又は前記下限しきい値のいずれかを超過した場合はアラーム信号を出力するスパンロス変動検出手順を、前記スパンロス計算手順の後にさらに有することを特徴とする付記２２に記載の監視信号受信方法。
【００７５】
（付記２４）
前記入力レベルモニタ手順において、一定周期で前記入力レベルを測定する
ことを特徴とする付記２２又は２３に記載の監視信号受信方法。
【００７６】
（付記２５）
前記入力レベルモニタ手順において、予め定められた時刻に前記入力レベルを測定する
ことを特徴とする付記２２又は２３に記載の監視信号受信方法。
【００７７】
（付記２６）
入力レベルモニタ部が、波長多重信号と監視信号との合波光が伝送路から入力され、当該合波光の入力レベルを測定するとともに、前記入力レベルの測定時刻を検出する入力レベルモニタ手順と、
監視信号終端部が、前記合波光に含まれる前記監視信号を受信する監視信号終端手順と、
スパンロス計算部が、前記入力レベルモニタ手順における前記入力レベル測定時刻と前記入力レベルを関連付けて記憶し、前記監視信号終端手順で受信した監視信号に含まれる前記出力レベル測定時刻及び前記出力レベルの組を抽出し、同時刻における前記入力レベルと前記出力レベルとの差を算出するスパンロス計算手順と、
をコンピュータに実行させるための監視信号受信プログラム。
【００７８】
（付記２７）
スパンロス変動検出部が、スパンロスの上限しきい値又は下限しきい値を保持し、前記スパンロス計算部の算出する前記差が前記上限しきい値又は前記下限しきい値のいずれかを超過した場合はアラーム信号を出力するスパンロス変動検出手順を、前記スパンロス計算手順の後にさらに有することを特徴とする付記２６に記載の監視信号受信プログラム。
【００７９】
（付記２８）
前記入力レベルモニタ手順において、前記入力レベルモニタ部が、一定周期で前記入力レベルを測定する
ことを特徴とする付記２６又は２７に記載の監視信号受信プログラム。
【００８０】
（付記２９）
前記入力レベルモニタ手順において、前記入力レベルモニタ部が、予め定められた時刻に前記入力レベルを測定する
ことを特徴とする付記２６又は２７に記載の監視信号受信プログラム。
【産業上の利用可能性】
【００８１】
本発明は情報通信産業に適用することができる。
【符号の説明】
【００８２】
１、２：ＷＤＭ装置
１０：監視信号送信装置
１−１、１０−１：出力レベルモニタ部
１−２、１０−２：タイムスタンプ生成部
１−３、１０−３：監視信号生成部
１−４、１０−４：合波部
１−５：波長多重信号生成部
１−６：送信光増幅部
２０：監視信号受信装置
２−１、２０−１：入力レベルモニタ部
２−２、２０−２：スパンロス計算部
２−３、２０−３：監視信号終端部
２−４：分波部
２−５：受信光増幅部
２−６：波長多重信号終端部
２−７：スパンロス変動検出部
３：監視装置
５、５０：伝送路
【図１】
0005724431.tif 000002
【図２】
0005724431.tif 000003
【図３】
0005724431.tif 000004
【図４】
0005724431.tif 000005
【図５】
0005724431.tif 000006
【図６】
0005724431.tif 000007
【図７】
0005724431.tif 000008
【図８】
0005724431.tif 000009